(57)【要約】【課題】桟橋と護岸とを連結する渡り板が、護岸との間に隙間を発生させないにように工夫してある桟橋と護岸の連結構造を提供する。【解決手段】桟橋１と護岸２とを渡り板３で連結するとともに、この渡り板３の一端を連結具４で桟橋側に固定し、渡り板３の他端を護岸側に摺動可能に載置した桟橋と護岸の連結構造であって、前記渡り板３と護岸２との間に一定幅の隙間１０を形成し、この隙間１０を渡り板３の側面に取付けた中空部５ａを有する筒状の弾性体５で埋めたものとした。前記弾性体５は、上部に圧縮に対して変形自在な中空部５ａを有し、下部に渡り板３の側面へ取り付け可能な板部５ｂを有する断面Ｐ字状のものである。【選択図】図１
2014159670.tif 000002
【特許請求の範囲】
【請求項１】
桟橋と護岸とを渡り板で連結するとともに、この渡り板の一端を連結具で桟橋側に固定し、渡り板の他端を護岸側に摺動可能に載置した桟橋と護岸の連結構造であって、前記渡り板と護岸との間に一定幅の隙間を形成し、この隙間を渡り板の側面に取付けた中空部を有する筒状の弾性体で埋めたことを特徴とする桟橋と護岸の連結構造。
【請求項２】
弾性体は、上部に圧縮に対して変形自在な中空部を有し、下部に渡り板の側面へ取り付け可能な板部を有する断面Ｐ字状のものである請求項１に記載の桟橋と護岸の連結構造。
【請求項３】
渡り板は、鋼材を格子状に組んだグレーチングである請求項１または２に記載の桟橋と護岸の連結構造。
【発明の詳細な説明】
【技術分野】
【０００１】
本発明は、桟橋と護岸とを連結する渡り板が、護岸との間に隙間を発生させないにように構成してある桟橋と護岸の連結構造に関するものである。
【背景技術】
【０００２】
従来から、係船バース等の港湾構造物として、桟橋と護岸とを渡り板で連結した構造のものが広く知られている。前記桟橋は、鋼管等の杭による下部工と、その上に支持させた上部工とからなる杭式桟橋が一般的であり、上部工と護岸との間に渡り板を介在させて連結した連結構造となっている。
【０００３】
前記桟橋は、杭で補強されているので沈下や横ズレ等を発生させることはないが、護岸は埋め立てた陸地が多いので沈下や横ズレ等を発生させることがある。そのため、前記渡り板は桟橋側の一端をボルト等で固定する一方、護岸側の他端をフリーとして摺動可能にしたものが提案されている（例えば、特許文献１を参照）。また、フリーな状態にある前記渡り板の護岸側の他端と護岸との隙間を隠すように渡り板の上端縁に薄板状のプレートを取り付け、このプレートで前記隙間を覆うことも行われている。
【０００４】
しかしながら、護岸の沈下や横ズレは、沈下等の激しい場所では、１年間で１０ｍｍ程度の大きなものも観測されている。従って、前記渡り板と護岸との間に隙間が生じて危ないという問題や、隙間に砂利やゴミ等が入り込むという問題が発生していた。また、プレートで隙間を覆っている場合は、隙間の拡大に起因してプレートが湾曲したり破断する等の問題が発生していた。
【０００５】
一方、渡り板と護岸との隙間を調整するものではないが、地震により発生する渡り板への衝撃荷重を緩和する方法として、特許文献２に示されるように、渡り板の下面に衝撃緩和用のダンパーを水平に設置したものも提案されている。しかしながら、特許文献２のものはダンパー装置が大規模かつ高価であり、本発明のように簡単に隙間の発生を防止する技術には適さないものであった。
【先行技術文献】
【特許文献】
【０００６】
【特許文献１】特開２０００−１７８９４１号公報
【特許文献２】特開平１０−１８３５５８号公報
【発明の概要】
【発明が解決しようとする課題】
【０００７】
本発明は上記のような問題点を解決して、万が一、護岸の沈下や横ズレを発生した場合にも、桟橋と護岸とを連結する渡り板が、護岸との間に隙間を生じるのを的確に防止し、しかも簡単な構造で生産コストを安価なものとすることができる桟橋と護岸の連結構造を提供することを目的として完成されたものである。
【課題を解決するための手段】
【０００８】
上記課題を解決するためになされた本発明の桟橋と護岸の連結構造は、桟橋と護岸とを渡り板で連結するとともに、この渡り板の一端を連結具で桟橋側に固定し、渡り板の他端を護岸側に摺動可能に載置した桟橋と護岸の連結構造であって、前記渡り板と護岸との間に一定幅の隙間を形成し、この隙間を渡り板の側面に取付けた中空部を有する筒状の弾性体で埋めたことを特徴とするものである。
【０００９】
前記弾性体は、上部に圧縮に対して変形自在な中空部を有し、下部に渡り板の側面へ取り付け可能な板部を有する断面Ｐ字状のものであることが好ましく、これを請求項２に係る発明とする。
【００１０】
前記渡り板は、鋼材を格子状に組んだグレーチングであることが好ましく、これを請求項３に係る発明とする。
【発明の効果】
【００１１】
請求項１に係る発明では、桟橋と護岸とを渡り板で連結した桟橋と護岸の連結構造であって、前記渡り板と護岸との間に一定幅の隙間を形成し、この隙間を渡り板の側面に取付けた中空部を有する筒状の弾性体で埋めたものとしたので、隙間による段差の発生を防止するとともに、隙間内に砂利やゴミ等が入り込むのを防止することができる。また、護岸の沈下や横ズレが生じた場合にも、前記弾性体の伸縮により常に隙間が生じないように密着した状態を保持するので、段差を発生させることがなく、また隙間にゴミ等が入り込むこともない。
【００１２】
請求項２に係る発明では、弾性体は上部に圧縮に対して変形自在な中空部を有し、下部に渡り板の側面へ取り付け可能な板部を有する断面Ｐ字状のものとしたので、渡り板への取り付けを簡単に行うことができ、また中空部の伸縮により隙間も確実に埋めることができる。
【００１３】
請求項３に係る発明では、渡り板は鋼材を格子状に組んだグレーチングとしたので、簡単に施工することができ、また優れた機械的強度、耐久性、外観性を発揮することができる。
【図面の簡単な説明】
【００１４】
【図１】本発明の実施の形態を示す正面図である。
【図２】渡り板を示す平面図である。
【図３】弾性体を示す斜視図である。
【発明を実施するための形態】
【００１５】
以下に、図面を参照しつつ本発明の好ましい実施の形態を示す。
図１において、１は鋼管等の杭による下部工と、その上に支持させた上部工とからなる杭式の桟橋である。また、２は埋め立てた陸地からなる護岸である。前記桟橋１と護岸２の向き合っている端部には、それぞれ直角状の切欠部が形成されており、この切欠部の底面１ａ、２ａに渡り板３を載置することによって、桟橋１と護岸２とを連結する構造となっている。
【００１６】
前記渡り板３の桟橋側の一端は、ボルト等の連結具４で桟橋１の前記底面１ａに固定されており、一方、渡り板３の他端である護岸側の一端は、護岸２の前記底面２ａに単に載置されていて、底面２ａ上を自在に摺動する構造となっている。
実施例においては、前記渡り板３は、図２に示されるように、亜鉛メッキした鉄、ステンレス、アルミニウム等の鋼材を格子状に組んだグレーチングであり、施工が容易であるうえに、優れた機械的強度、耐久性、外観性を発揮する。また、グレーチングの他、板状の蓋体やパンチングメタル等の孔あき板体であってもよいことは勿論である。
【００１７】
そして、前記渡り板３と護岸２との間には、例えば１０〜３０ｍｍ程度の一定幅の隙間１０が形成されており、この隙間１０を渡り板３の側面に取付けた中空部５ａを有する筒状の弾性体５で埋めた構造となっている。また、弾性体５の材質としては、耐候性と弾力性を備えた合成樹脂や天然ゴムから選択できる。
【００１８】
この弾性体５は、図３に示すように、上部に圧縮に対して変形自在な中空部５ａを有し、下部に渡り板の側面へ取り付け可能な板部５ｂを有する断面Ｐ字状のものであり、前記板部５ｂをボルト等の連結具６で渡り板３の側面に取付けてある。この場合、前記中空部５ａが弾性力により、その一端を切欠部の壁面２ｂに常に押し付けた状態となるので、隙間１０を覆った形となり段差が生じるのを防止して安全であり、また隙間１０内にゴミ等が入り込むことも防止することとなる。なお、弾性体５の上面は渡り板３の上面と同一高さで、かつフラットな面が続く形状としておけば、ゴミ等の落下を防止することができ好ましい。
また、護岸２の沈下や横ズレが生じた場合にも、前記中空部５ａが伸縮変形して常に護岸との間に隙間が生じないように密着状態を保持できるため、段差を発生させることがなく、また隙間にゴミ等が入り込むことも防止できる。
【００１９】
本発明の渡り板３は、例えばグレーチングの場合、グレーチングの製造会社において弾性体５を取付けた状態で出荷することや、港湾の現場においてグレーチングに弾性体５を取付けることのいずれも行うことができ、優れた作業性を発揮することができる。また、長さが１０００〜２０００ｍｍのグレーチングを桟橋の長さに対応して所定の枚数を組み合わせるのみで施工を終えることができ、施工およびその後のメンテナンス作業も簡単に行うことができる。
【００２０】
以上の説明からも明らかなように、本発明は桟橋と護岸とを渡り板で連結するとともに、この渡り板の一端を連結具で桟橋側に固定し、渡り板の他端を護岸側に摺動可能に載置した桟橋と護岸の連結構造であって、前記渡り板と護岸との間に一定幅の隙間を形成し、この隙間を渡り板の側面に取付けた中空部を有する筒状の弾性体で埋めたものとしたので、隙間による段差の発生を防止できるとともに、隙間内に砂利やゴミ等が入り込むのを防止することが可能となる。更に、護岸の沈下や横ズレが生じた場合にも、前記弾性体の伸縮により常に隙間が生じないように密着した状態を保持するので、段差を発生させることがなく、また隙間にゴミ等が入り込むことも防止することが可能となる。
【符号の説明】
【００２１】
１  桟橋
１ａ  底面
２  護岸
２ａ  底面
２ｂ  壁面
３  渡り板
４  連結具
５  弾性体
５ａ  中空部
５ｂ  板部
６  連結具
１０  隙間
【図１】
2014159670.tif 000003
【図３】
2014159670.tif 000004
【図２】
2014159670.tif 000005